(57)【要約】      （修正有）【課題】利便性を向上させる情報提供装置および情報提供方法を提供する。【解決手段】情報提供装置１は、車両に搭載された車載装置用の通知情報を記憶する記憶部と、記憶部に記憶された通知情報のうち、所定の選択条件を満たす通知情報を選択する選択部と、選択部によって選択された通知情報を予め登録された端末装置へ転送する転送部とを備える。選択部は、通知情報を車載装置へ通知後の車両の走行情報に基づいて通知情報を選択する。【選択図】図８
2020064556.tif 000002
【特許請求の範囲】
【請求項１】
車両に搭載された車載装置用の通知情報を記憶する記憶部と、
前記記憶部に記憶された前記通知情報のうち、所定の選択条件を満たす前記通知情報を選択する選択部と、
前記選択部によって選択された前記通知情報を予め登録された端末装置へ転送する転送部と
を備えることを特徴とする情報提供装置。
【請求項２】
前記選択部は、
前記通知情報を前記車載装置へ通知後の前記車両の走行情報に基づいて前記通知情報を選択すること
を特徴とする請求項１に記載の情報提供装置。
【請求項３】
前記選択部は、
前記走行情報から推定される運転負荷に基づいて前記通知情報を選択すること
を特徴とする請求項２に記載の情報提供装置。
【請求項４】
前記選択部は、
前記通知情報の閲覧履歴に基づいて前記通知情報を選択すること
を特徴とする請求項１、２または３に記載の情報提供装置。
【請求項５】
前記転送部によって前記通知情報が転送される場合に、前記通知情報の内容を更新する更新部
を備え、
前記転送部は、
前記更新部によって更新された前記通知情報を転送すること
を特徴とする請求項１〜４のいずれか一つに記載の情報提供装置。
【請求項６】
前記更新部は、
前記通知情報に付加情報を付加することで、前記通知情報を更新すること
を特徴とする請求項５に記載の情報提供装置。
【請求項７】
前記更新部は、
前記通知情報を車載装置が受信した位置情報を前記付加情報として付加すること
を特徴とする請求項６に記載の情報提供装置。
【請求項８】
前記更新部は、
前記車両上で撮像されたカメラ画像を前記付加情報として付加すること
を特徴とする請求項６または７に記載の情報提供装置。
【請求項９】
前記更新部は、
前記通知情報に経路情報が含まれる場合に、当該経路情報について前記通知情報を転送する時点の前記車両の位置情報に基づいて経路情報を更新すること
を特徴とする請求項５〜８のいずれか一つに記載の情報提供装置。
【請求項１０】
車両に搭載された車載装置用の通知情報を記憶する記憶工程と、
前記記憶工程に記憶された前記通知情報のうち、所定の選択条件を満たす前記通知情報を選択する選択工程と、
前記選択工程によって選択された前記通知情報を予め登録された端末装置へ転送する転送工程と
を含むことを特徴とする情報提供方法。
【発明の詳細な説明】
【技術分野】
【０００１】
本発明は、情報提供装置および情報提供方法に関する。
【背景技術】
【０００２】
従来、カーナビゲーション装置などの車載装置とスマートフォンなどの携帯端末とを連携させて、ユーザへ情報を提供する情報提供システムがある。かかる情報提供システムでは、ソーシャルネットワーク（以下、ＳＮＳ：Social  Networking  Service）へ投稿された情報を車載装置へ通知する（例えば、特許文献１参照）。
【先行技術文献】
【特許文献】
【０００３】
【特許文献１】特開２０１４−０３５６１３号公報
【発明の概要】
【発明が解決しようとする課題】
【０００４】
しかしながら、従来技術では、利便性を向上させるうえで改善の余地があった。例えば、ユーザが運転中である場合、ユーザは、車載装置から通知された情報を閲覧することができない場合がある。また、仮に、ユーザが閲覧できなかった情報をユーザの端末装置へ転送した場合、ユーザが敢えて閲覧しなかった情報まで端末装置へ転送することとなる。
【０００５】
本発明は、上記に鑑みてなされたものであって、利便性を向上させることができる情報提供装置および情報提供方法を提供することを目的とする。
【課題を解決するための手段】
【０００６】
上述した課題を解決し、目的を達成するために、実施形態に係る情報提供装置は、記憶部と、選択部と、転送部とを備える。前記記憶部は、車両に搭載された車載装置用の通知情報を記憶する。前記選択部は、前記記憶部に記憶された前記通知情報のうち、所定の選択条件を満たす前記通知情報を選択する。前記転送部は、前記選択部によって選択された前記通知情報を予め登録された端末装置へ転送する。
【発明の効果】
【０００７】
本発明によれば、利便性を向上させることができる。
【図面の簡単な説明】
【０００８】
【図１】図１は、情報提供方法の概要を示す図である。
【図２】図２は、情報提供システムの構成例を示す図である。
【図３】図３は、情報提供装置のブロック図である。
【図４】図４は、ユーザ情報テーブルの一例を示す図である。
【図５】図５は、車載装置のブロック図である。
【図６】図６は、通知情報テーブルの一例を示す図である。
【図７】図７は、通知情報の通知例を示す図である。
【図８】図８は、情報提供システムの動作手順を示すタイミングチャートである。
【図９】図９は、変形例に係る情報提供システムの概要を示す図である。
【発明を実施するための形態】
【０００９】
以下、添付図面を参照して、実施形態に係る情報提供装置および情報提供方法について詳細に説明する。なお、本実施形態によりこの発明が限定されるものではない。
【００１０】
まず、図１を用いて実施形態に係る情報提供方法について説明する。図１は、情報提供方法の概要を示す図である。なお、かかる情報提供方法は、図１に示す情報提供システムＳによって実行される。
【００１１】
図１に示すように、情報提供システムＳは、情報提供装置１と、車載装置５０と、端末装置Ｔとを備える。情報提供装置１は、図２にて後述するように、各サービスプロバイダから車両の運転者Ｄ宛ての通知情報を受け付けて、かかる通知情報を車載装置５０へ通知するサーバ装置である。
【００１２】
車載装置５０は、例えば、表示部を備え、情報提供装置１から受信した通知情報を運転者Ｄへ通知する。端末装置Ｔは、運転者Ｄが保有する電子機器であり、スマートフォンや、タブレット端末、パーソナルコンピュータ等を含む。
【００１３】
ところで、従来、端末装置からソーシャルネットワークサービス（以下、ＳＮＳ：Social  Networking  Service）へ投稿された情報を車載装置へ通知する情報提供システムがある。
【００１４】
かかる情報提供システムでは、運転者が運転中である場合、通知された情報を運転者が閲覧することができない場合がある。また、運転者が閲覧できなかった情報を運転者の端末装置へ転送することも考えられるが、閲覧できなかった全ての情報を端末装置へ転送すると、運転者が煩わしく感じるなど、利便性を損なう場合がある。
【００１５】
そこで、実施形態に係る情報提供方法では、車載装置５０へ通知した通知情報のうち、所定の条件を満たす情報に絞って、端末装置Ｔへ転送することとした。つまり、実施形態に係る情報提供方法では、通知情報のうち、運転者Ｄが後から見る可能性が高い通知情報をフィルタリングして端末装置Ｔへ転送する。
【００１６】
具体的には、図１に示すように、情報提供装置１は、運転者Ｄ宛ての通知情報を記憶しておき、車載装置５０へ送信する（ステップＳ１）。ここで、運転者Ｄ宛ての通知情報とは、メッセージアプリ上のメッセージ、電子広告、電子クーポンなどを含む。また、車載装置５０へ送信された通知情報は、車載装置５０にてプッシュ通知によって運転者Ｄへ提供される。
【００１７】
続いて、情報提供装置１は、例えば、車両のイグニッションスイッチがオフになった場合に、車載装置５０から通知情報に対するフィードバック情報を受信する（ステップＳ２）。
【００１８】
かかるフィードバック情報には、通知情報の開封状況などに関する情報や、運転者Ｄへ通知情報を車載装置５０にて通知後の車両の挙動に関する情報などが含まれる。その後、情報提供装置１は、フィードバック情報に基づいて所定の選択条件を満たす通知情報を選択する（ステップＳ３）。
【００１９】
情報提供装置１は、ステップＳ３の選択処理において、例えば、過去の閲覧履歴から運転者Ｄの関心が高いと推定される通知情報であるものの、運転者Ｄが閲覧（開封）できなかった通知情報を選択することができる。すなわち、車載装置５０へ送信した通知情報のうち、運転者Ｄが後から見る可能性が高い通知情報を選択する。
【００２０】
そして、情報提供装置１は、ステップＳ３にて選択した通知情報を運転者Ｄの端末装置Ｔへ転送する（ステップＳ４）。これにより、運転者Ｄは、車両を降車後に、端末装置Ｔから自由に通知情報を閲覧することが可能となる。
【００２１】
このように、実施形態に係る情報提供方法では、車載装置５０へ送信した通知情報のうち、所定の選択条件を満たす通知情報を端末装置Ｔへ転送する。これにより、運転者Ｄにとって有益な情報のみを端末装置Ｔへ転送することができるので、利便性を向上させることができる。
【００２２】
なお、ここでは、情報提供装置１が、端末装置Ｔへ通知情報を転送する場合について説明したが、車載装置５０から端末装置Ｔへ通知情報を転送することも可能である。また、実施形態に係る情報提供方法では、端末装置Ｔへ通知情報を転送するにあたり、通知情報の内容を変更して転送することも可能であるが、この点の詳細については、後述する。
【００２３】
次に、図２を用いて実施形態に係る情報提供システムＳの構成例について説明する。図２は、情報提供システムＳの構成例を示す図である。図２に示すように、情報提供システムＳは、上述の情報提供装置１、車載装置５０−１〜５０−ｎ、端末装置Ｔ−１〜Ｔ−ｎ（ｎは、いずれも自然数）に加え、サービスプロバイダ１００−１〜１００−ｍ（ｍは、自然数）を含む。
【００２４】
情報提供装置１、車載装置５０−１〜５０−ｎ、端末装置Ｔ−１〜Ｔ−ｎ、サービスプロバイダ１００−１〜１００−ｍは、ネットワークＮを介して接続される。サービスプロバイダ１００−１〜１００−ｍは、運転者Ｄ向けの各種サービスやアプリケーションを提供するプロバイダである。
【００２５】
例えば、サービスプロバイダ１００−１〜１００−ｍは、運転者Ｄへのサービスを情報提供装置１を介して提供するとともに、自身のサービスの電子広告やクーポン情報等の配信を情報提供装置１へ依頼することができる。
【００２６】
例えば、情報提供装置１は、上記の電子広告のターゲティング条件を満たす運転者Ｄや、クーポン情報の配信条件を満たす運転者Ｄを選択したうえで、各車載装置５０や端末装置Ｔへ配信することができる。
【００２７】
次に、図３を用いて実施形態に係る情報提供装置１の構成例について説明する。図３は、情報提供装置１のブロック図である。図３に示すように、情報提供装置１は、通信部２と、制御部３と、記憶部４とを備える。
【００２８】
通信部２は、ネットワークＮとの間で情報の送受信を行う通信インターフェイスである。制御部３は、通信部２およびネットワークＮを介して各々との間で各種の情報を送受信することができる。
【００２９】
制御部３は、受付部３０と、選択部３２と、送信部３１と、更新部３３と、転送部３４とを備える。制御部３は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００３０】
コンピュータのＣＰＵは、例えば、ＲＯＭに記憶されたプログラムを読み出して実行することによって、受付部３０と、選択部３２と、送信部３１と、更新部３３と、転送部３４として機能する。
【００３１】
また、制御部３の受付部３０と、選択部３２と、送信部３１と、更新部３３と、転送部３４の少なくともいずれか一部または全部をＡＳＩＣ（Application  Specific  Integrated  Circuit）やＦＰＧＡ（Field  Programmable  Gate  Array）等のハードウェアで構成することもできる。
【００３２】
また、記憶部４は、例えば、ＲＡＭやＨＤＤに対応する。ＲＡＭやＨＤＤは、ユーザ情報データベース４０と、通知情報データベース４１と、閲覧履歴データベース４２と、付加情報データベース４３とを備える。なお、情報提供装置１は、有線や無線のネットワークで接続された他のコンピュータや可搬型記録媒体を介して上記したプログラムや各種情報を取得することとしてもよい。
【００３３】
ユーザ情報データベース４０は、運転者Ｄに関するユーザ情報テーブルを有する。図４は、ユーザ情報テーブルの一例を示す図である。図４に示すように、ユーザ情報テーブル４０ａは、「ユーザＩＤ」、「車載装置ＩＤ」、「端末ＩＤ」、「現在地」、「デモグラフィック属性」、「サイコグラフィック属性」等が互いに対応付けられた情報である。
【００３４】
「ユーザＩＤ」は、運転者であるユーザを識別する識別子である。「車載装置ＩＤ」および「端末ＩＤ」は、車載装置５０および端末装置Ｔをそれぞれ識別する識別子である。「現在地」は、車両Ｃの現在走行しているエリアを示す。現在地は、例えば、車両Ｃの位置情報に基づいて適宜更新される。
【００３５】
「デモグラフィック属性」は、運転者Ｄの人口統計学的な情報である。デモグラフィック属性は、例えば、「性別」、「年齢」などの情報が含まれる。なお、図４に示す例では、男性の性別を「１」、女性の性別を「２」でそれぞれ示す。
【００３６】
「サイコグラフィック属性」は、運転者Ｄの心理学的な属性の情報であり、例えば、運転者Ｄの価値観、ライフスタイル、性格、嗜好などの情報である。図４に示す例では、属性要素毎に、運転者Ｄの嗜好が相対的に高い場合に「１」が設定され、それ以外の場合には「０」が設定される。
【００３７】
図３の説明に戻り、通知情報データベース４１について説明する。通知情報データベース４１は、各サービスプロバイダ１００から各運転者Ｄ宛てに受け付けた通知情報を記憶するデータベースである。
【００３８】
例えば、各サービスプロバイダ１００から受け付けた通知情報は、提供元のサービスプロバイダ１００の識別子、通知情報の識別子、送信先などが付与されて通知情報データベース４１へ登録される。なお、通知情報の送信先として、メッセージアプリのメッセージなど通知先の運転者Ｄが予め指定されるものと、例えば、所定のエリアを走行中の運転者Ｄなど、情報提供装置１側で通知先を設定するものが含まれる。
【００３９】
閲覧履歴データベース４２は、運転者Ｄの通知情報に対する閲覧履歴に関する情報を記憶するデータベースである。閲覧履歴データベース４２は、車載装置５０から送信される上述のフィードバック情報に基づいて更新される。
【００４０】
付加情報データベース４３は、車載装置５０へ送信した通知情報を端末装置Ｔへ転送する際に、付加する情報を記憶するデータベースである。例えば、付加情報データベース４３には、クーポン情報や電子広告に関する情報などが記憶される。
【００４１】
続いて、制御部３の各構成について説明する。制御部３の受付部３０は、各サービスプロバイダ１００から通知情報を受け付ける。受付部３０は、通知情報を受け付けると、通知情報データベース４１へ通知するとともに、送信部３１へ通知する。
【００４２】
また、受付部３０は、車載装置５０から上述のフィードバック情報を受け付けることもできる。受付部３０は、受け付けたフィードバック情報を閲覧履歴データベース４２へ記憶する。
【００４３】
なお、車載装置５０がフィードバック情報を送信するタイミングは、例えば、車両のイグニッションスイッチがオフとなったタイミングであるが、これに限定されるものではない。具体的には、車両のシフトレバーがパーキングになったタイミングや、手動運転から自動運転へ切り替わったタイミング、運転者Ｄが交代したタイミング等であってもよい。
【００４４】
すなわち、車載装置５０は、運転者Ｄが端末装置Ｔを自由に操作できるタイミングでフィードバック情報を送信することができる。なお、車載装置５０は、フィードバック情報を所定の周期で送信することも可能である。
【００４５】
送信部３１は、受付部３０によって受け付けられた運転者Ｄ宛ての車載装置５０用の通知情報を各車載装置５０へ送信する。送信部３１は、Ｅｍａｉｌなどの宛先が指定された通知情報については、指定された車載装置５０へ送信する。なお、例えば、車載装置５０側でＥｍａｉｌの受け取りに関して、題目のみが通知されるように設定することもできる。これにより、例えば、複数の乗員が車両に搭乗している場合、題目のみを通知することで、運転者Ｄのプライバシーを保護することができる。
【００４６】
また、送信部３１は、渋滞情報、エリア毎の天気情報（例えば、ゲリラ豪雨に関する情報）、ご当地情報、広告情報など、宛先が特に指定されていない通知情報については、送信する車載装置５０を選択したうえで、各車載装置５０へ送信することができる。
【００４７】
具体的には、送信部３１は、渋滞情報、エリア毎の天気情報、ご当地情報など、車両Ｃの現在地に関連する通知情報については、ユーザ情報データベース４０の「現在地」に基づいて送信する車載装置５０を選択することができる。
【００４８】
また、送信部３１は、広告情報など、ターゲティング条件が定められた通知情報については、ユーザ情報データベース４０の「デモグラフィック属性」、「サイコグラフィック属性」に基づいてそれぞれ送信する車載装置５０を選択することが可能である。
【００４９】
なお、送信部３１は、例えば、車両Ｃの同乗者を特定できる場合には、同乗者の組み合わせに応じて送信する通知情報を選択することも可能である。具体的には、例えば、同乗者が共通してグルメ好きである場合に、グルメに関する通知情報を送信し、同乗者が共通して歴史好きである場合、ご当地の歴史に関する通知情報を送信することもできる。このように、同乗者に応じて通知情報を変更することで、車内の会話の円滑化を図ることができる。
【００５０】
選択部３２は、記憶部４に記憶された通知情報のうち、所定の選択条件を満たす通知情報を選択する。すなわち、選択部３２は、送信部３１が各車載装置５０へ送信した通知情報のうち、端末装置Ｔへ転送する通知情報を選択する。
【００５１】
例えば、選択部３２は、フィードバック情報として通知される通知情報の開封履歴や車両Ｃの走行情報等に基づいて選択条件を満たす通知情報を選択することができる。
【００５２】
ここで、走行情報は、車両Ｃの走行速度、ステアリング操作頻度に加えて、ハンズフリー通話などの操作履歴を含む。選択部３２は、走行情報に基づいて運転者Ｄの運転負荷を推定し、推定した運転負荷に基づいて端末装置Ｔへ転送する通知情報を選択することができる。
【００５３】
これは、運転負荷が相対的に高い場合、運転者Ｄは、通知情報を確認する余裕がなかったと推定されるためである。一方、運転負荷が相対的に低い場合、運転者Ｄは、通知情報を確認する余裕があったものの、通知情報を敢えて確認しなかったと推定される。
【００５４】
また、運転負荷が低いと推定される期間（例えば、信号待ちなど）であっても、運転者Ｄがハンズフリー通話や、ナビゲーション装置への目的地設定を行っていた場合、運転者Ｄが通知情報を確認する余裕がなかったと推定される。
【００５５】
このため、選択部３２は、運転負荷に応じて端末装置Ｔへ転送する通知情報を選択することで、運転者Ｄが閲覧を所望する通知情報を適切に選択することができる。言い換えれば、運転者Ｄにとって興味の薄い通知情報などを端末装置Ｔへの転送を抑制することができる。
【００５６】
なお、走行情報として、車両Ｃが走行中の道路種別（高速道路、一般道、山道など）に関する情報を取得することにしてもよい。この場合、選択部３２は、道路種別に応じて端末装置Ｔへ転送する通知情報を選択することもできる。これにより、転送する通知情報を容易に選択することが可能となる。
【００５７】
また、選択部３２は、情報価値が時刻経過に伴って低下する通知情報については、その情報価値に応じて、通知情報を選択することもできる。具体的には、選択部３２は、通知情報を端末装置Ｔへ転送する際に、通知情報の情報価値が維持されていれば、その通知情報を選択し、情報価値が低くなっていた場合、その通知情報を選択しない。
【００５８】
具体的には、あるエリアの天気情報を通知情報として車載装置５０へ送信した場合を想定する。この場合、転送するタイミングで、車両Ｃの現在地がそのエリア外にいた場合や、既にそのエリアを通過後であった場合には、既に通知情報は価値を成さない。
【００５９】
このため、選択部３２は、通知情報を車載装置５０へ通知した時点から通知情報を端末装置Ｔへ転送するまでの時刻差、距離差が所定値以内のものを端末装置Ｔへ転送する通知情報を選択する。
【００６０】
これにより、情報の価値が低い通知情報を端末装置Ｔへ送信するのを防止することができるので、利便性を向上させることができる。なお、上述の選択条件は、一例であり、任意に変更が可能である。例えば、単にスパムメールのみを選択対象から除外したりすることもできる。
【００６１】
更新部３３は、選択部３２によって選択された通知情報の内容を更新する。すなわち、更新部３３は、車載装置５０用の通知情報を端末装置Ｔ用の通知情報へ更新する。これにより、情報提供装置１の利便性を向上させることが可能となる。
【００６２】
例えば、更新部３３は、通知情報に付加情報を付加することで通知情報を更新することができる。具体的には、更新部３３は、運転者Ｄへ通知情報を通知したときの車両Ｃの位置情報を付加情報として付加することができる。
【００６３】
これにより、運転者Ｄは、通知情報が通知された際の位置情報を把握することができるので、どこで通知情報が通知されたかを容易に把握することができる。
【００６４】
また、更新部３３は、例えば、通知情報に経路情報が含まれる場合、送信する際の車両の位置情報に基づいて経路情報を更新することも可能である。具体的には、通知情報が運転者Ｄへおすすめのレストランまでの経路情報である場合を想定する。
【００６５】
この場合、更新部３３は、車載装置５０が運転者Ｄへ通知情報を通知した地点Ａから上記のレストランまでの経路について、端末装置Ｔへ通知情報を転送するタイミングにおける車両の地点Ｂからレストランまでの経路へ更新することができる。
【００６６】
これにより、運転者Ｄの現在地から目的地（レストラン）までの適切な経路を提供することが可能となる。この際、更新部３３は、車両の走行した経路に基づき、経路情報を更新することも可能である。
【００６７】
具体的には、更新部３３は、車両が実際に走行してきた経路において、どの地点を曲がれば、目的地へ到着するかを示す経路へ経路情報を更新する。
【００６８】
すなわち、更新部３３は、既に通過した経路からの道順を示すことで、運転者Ｄに対して目的地までの経路を直感的に把握させることが可能となる。
【００６９】
この際、更新部３３は、車載装置５０から目印となる地点のカメラ画像を取得し、付加情報としてカメラ画像を経路情報へ付加することも可能である。これにより、運転者Ｄに対してより直感的に目的地までの経路を把握させることが可能となる。
【００７０】
また、更新部３３は、付加情報として、通知情報の内容に関する詳細情報や、電子広告、電子クーポンを付与することもできる。例えば、更新部３３は、通知情報として、店舗名や店舗住所などの簡易情報を通知しておき、端末装置Ｔへ転送する際に、店舗に関する詳細情報や、かかる店舗で使用可能な電子クーポンを付与することができる。
【００７１】
すなわち、運転者Ｄが運転中には、読むのに負荷の低い通知情報を車載装置５０へ送信しておき、運転を終えたタイミングで詳細な通知情報を車載装置５０へ転送する。これにより、運転者Ｄの安全運転に寄与することができる。
【００７２】
また、更新部３３は、アンケートを付加情報として付加することもできる。かかるアンケートは、例えば、運転者Ｄの興味や嗜好に関するものや、通知情報を開封しなかった理由を問うものである。
【００７３】
そして、更新部３３は、かかるアンケートの結果に基づいてユーザ情報データベース４０を更新することができる。このように、更新部３３は、通知情報にアンケートを付加情報として付加することで、趣味嗜好に関する情報（上記のサイコグラフィック属性に対応）を容易に得ることができる。
【００７４】
すなわち、アンケート結果に基づき、運転者Ｄへ通知するレコメンド情報を選択することができ、各運転者Ｄの関心が高い通知情報を各運転者Ｄに対して通知することができる。
【００７５】
なお、更新部３３は、閲覧履歴データベース４２を解析することで、ユーザ情報データベース４０を更新することも可能である。この場合であっても、各運転者Ｄの関心が高い通知情報を各運転者Ｄに対して通知することができる。
【００７６】
転送部３４は、選択部３２によって選択された通知情報をあらかじめ登録された端末装置Ｔへ転送する。本実施形態において、転送部３４は、更新部３３によって更新された通知情報を端末装置Ｔへ転送する。
【００７７】
例えば、上述のように、車両のイグニッションスイッチがオフとなったタイミングでフィードバック情報が車載装置５０から送信される。この場合、転送部３４は、フィードバック情報をトリガとして通知情報を転送することができる。
【００７８】
また、上記の例に限られず、転送部３４は、車両が手動運転から自動運転へ切り替わったことや、運転者Ｄが変更したことをトリガとして、通知情報を転送することにしてもよい。
【００７９】
この場合、例えば、車載装置５０は、手動運転から自動運転へ切り替わったタイミングや、運転者Ｄが変更したタイミングでフィードバック情報を情報提供装置１へ送信することで、情報提供装置１は、上記のトリガを検出することができる。
【００８０】
次に、図５を用いて車載装置５０の構成例について説明する。図５は、車載装置５０のブロック図である。なお、図５では、車載装置５０に加え、タッチパネルディスプレイ８０、スピーカ８１、位置検出装置Ａ、センサ群８５およびカメラ９０をあわせて示す。
【００８１】
図５に示すように、車載装置５０は、通信部５と、制御部６と、記憶部７とを備える。通信部５は、ネットワークＮとの間で情報の送受信を行う通信インターフェイスである。制御部６は、通信部２およびネットワークＮを介して各々との間で各種の情報を送受信することができる。
【００８２】
制御部６は、取得部６０と、通知部６１と、送信部６２とを備える。制御部６は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００８３】
コンピュータのＣＰＵは、例えば、ＲＯＭに記憶されたプログラムを読み出して実行することによって、取得部６０、通知部６１および送信部６２として機能する。
【００８４】
また、制御部３の取得部６０、通知部６１および送信部６２の少なくともいずれか一部または全部をＡＳＩＣ（Application  Specific  Integrated  Circuit）やＦＰＧＡ（Field  Programmable  Gate  Array）等のハードウェアで構成することもできる。
【００８５】
また、記憶部７は、例えば、ＲＡＭやＨＤＤに対応する。ＲＡＭやＨＤＤは、通知情報記憶部７１と、走行情報記憶部７２とを備える。なお、車載装置５０は、有線や無線のネットワークで接続された他のコンピュータや可搬型記録媒体を介して上記したプログラムや各種情報を取得することとしてもよい。
【００８６】
通知情報記憶部７１は、情報提供装置１から送信される通知情報を記憶する記憶部である。例えば、通知情報記憶部７１は、通知情報とともに、通知情報テーブルを記憶する。
【００８７】
図６は、通知情報テーブル７１ａの一例を示す図である。図６に示すように、通知情報テーブル７１ａは、「メッセージＩＤ」、「カテゴリ」、「通知時刻」、「通知位置」、「開封時刻」、「ステータス」が互いに対応付けられた情報である。
【００８８】
メッセージＩＤは、通知情報を識別するための識別子であり、カテゴリは、通知情報の種別を示す。図６に示す例では、カテゴリとして、レコメンド、Ｅｍａｉｌ、ＳＮＳなどが含まれる場合を示す。なお、レコメンドは、例えば、車両の周辺のおススメ施設に関する情報や、運転者Ｄへの電子広告などが含まれる。
【００８９】
通知時刻は、通知情報を通知した時刻を示し、通知位置は、通知した位置を示す。また、開封時刻は、通知情報を開封した時刻を示し、ステータスは、通知情報に対する特記事項を示す。
【００９０】
図５の説明に戻り、走行情報記憶部７２について説明する。走行情報記憶部７２は、車両の走行情報を記憶する記憶部である。具体的には、走行情報記憶部７２は、センサ群８５や、カメラ９０から出力される走行情報を記憶する。
【００９１】
センサ群８５は、車両の走行速度を検出する速度センサ、車両のブレーキの操作状況を検出するブレーキセンサ、舵角を検出する舵角センサ、車両の加速度を検出する加速度センサ等を含む。
【００９２】
また、カメラ９０は、例えば、ドライブレコーダなどの車両の周囲を撮像するカメラである。走行情報記憶部７２は、センサ群８５や、カメラ９０から出力される走行情報に位置検出装置Ａから入力される位置情報を対応付けて記憶する。
【００９３】
続いて、制御部６の各構成について説明する。制御部６の取得部６０は、通知情報や、走行情報を取得する。取得部６０は、取得した通知情報を通知情報記憶部７１に登録し、取得した走行情報を走行情報記憶部７２へ登録する。
【００９４】
通知部６１は、通知情報をタッチパネルディスプレイ８０やスピーカ８１を介して運転者Ｄへ通知する。また、通知部６１は、通知情報を通知した時刻や、通知位置などに基づき、通知情報テーブル７１ａを更新する。
【００９５】
図７は、通知情報の通知例を示す図である。なお、ここでは、通知情報がレコメンド情報である場合について説明する。図７に示すように、通知部６１は、通知情報をタッチパネルディスプレイ８０へ表示することで、通知情報を運転者Ｄへ通知するとともに、タッチパネルディスプレイ８０に開封ボタンＢ１、読み上げボタンＢ２、後で読むボタンＢ３を併せて表示する。
【００９６】
通知部６１は、開封ボタンＢ１、読み上げボタンＢ２、後で読むボタンＢ３に対する操作信号をタッチパネルディスプレイから取得することで、通知情報の通知態様を変更することができる。
【００９７】
例えば、通知部６１は、開封ボタンＢ１が選択された場合、通知情報の内容をタッチパネルディスプレイ８０へ表示することで、通知情報の内容を運転者Ｄへ通知することができる。
【００９８】
また、通知部６１が、読み上げボタンＢ２が選択された場合、通知情報の内容(テキスト)をスピーカ８１から出力することで、通知情報の内容を運転者Ｄへ通知することができる。
【００９９】
また、通知部６１は、後で読むボタンＢ３が操作された場合、通知情報をその場では通知せず、タッチパネルディスプレイ８０の下方領域に未読アイコンＵを表示させる。なお、未読アイコンＵに表示される数字は、未読の通知情報の数を示す。
【０１００】
図７に示す例では、レコメンドの通知情報に１件の未読メッセージあることを示す。なお、通知部６１は、通知情報を通知したのちに、所定期間、開封されなかった通知情報についても、後で読むボタンＢ３が操作された場合と同様に処理を行うことにしてもよい。
【０１０１】
図５の説明に戻り、送信部６２について説明する。送信部６２は、位置情報や、上記のフィードバック情報を情報提供装置１へ送信する。例えば、送信部６２は、位置検出装置Ａから通知される車両の位置情報を所定周期で送信する。
【０１０２】
これにより、情報提供装置１は、各車両の現在地を把握することが可能となる。また、送信部６２は、所定のタイミングでフィードバック情報を情報提供装置１へ送信することができる。
【０１０３】
具体的には、送信部６２は、例えば、車両のイグニッションスイッチがオフになると、通知情報記憶部７１に記憶された情報および走行情報記憶部７２に記憶された情報に基づいてフィードバック情報を生成する。
【０１０４】
フィードバック情報には、通知情報の開封履歴や、通知情報を通知後の走行情報が含まれる。情報提供装置１は、フィードバック情報に基づいて端末装置Ｔへ転送する通知情報を選別したり、車載装置５０へ送信する通知情報を選別したりすることができる。
【０１０５】
なお、上述のように、送信部６２がフィードバック情報を送信するトリガは、車両のイグニッションスイッチがオフに限定されるものではない。すなわち、運転者Ｄが交代したことや、車両が手動運転から自動運転へ切り替わることなど、運転者Ｄが自由に端末装置Ｔを操作可能となったことをトリガとして、フィードバック情報を送信することにしてもよい。
【０１０６】
この場合、例えば、車載装置５０は、運転席を撮像するカメラのカメラ画像に基づいて運転者Ｄが交代したことを認識することが可能である。また、車載装置５０は、車両の自動運転を制御する制御ＥＣＵ(Electro  Control  Unit)から出力される信号に基づいて手動運転から自動運転への切り替わりを認識することが可能である。
【０１０７】
次に、図８を用いて実施形態に係る情報提供システムＳが実行する処理手順について説明する。図８は、情報提供システムＳが実行する処理手順を示すフローチャートである。
【０１０８】
図８に示すように、まず、情報提供装置１は、車載装置５０へ通知情報を送信すると（ステップＳ１１）、車載装置５０は、かかる通知情報を運転者Ｄへプッシュ通知を行う（ステップＳ１２）。
【０１０９】
その後、車載装置５０は、例えば、イグニッションスイッチオフなどの所定のトリガを検出した場合に（ステップＳ１３）、フィードバック情報を生成する（ステップＳ１４）。
【０１１０】
そして、車載装置５０は、フィードバック情報を情報提供装置１へ送信すると（ステップＳ１５）、情報提供装置１は、選択条件を満たす通知情報を選択する（ステップＳ１６）。
【０１１１】
続いて、情報提供装置１は、通知情報の内容を更新し（ステップＳ１７）、更新した通知情報を端末装置Ｔへ転送して（ステップＳ１８）、処理を終了する。
【０１１２】
上述したように、実施形態に係る情報提供装置１は、記憶部４と、選択部３２と、転送部３４とを備える。記憶部４は、車両に搭載された車載装置用の通知情報を記憶する。選択部３２は、記憶部４に記憶された通知情報のうち、所定の選択条件を満たす通知情報を選択する。転送部３４は、選択部３２によって選択された通知情報を予め登録された端末装置Ｔへ転送する。したがって、実施形態に係る情報提供装置１によれば、利便性を向上させることができる。
【０１１３】
ところで、上述した実施形態では、情報提供装置１が、端末装置Ｔへ通知情報を転送する場合について説明したが、これに限定されるものではない。すなわち、端末装置Ｔへ通知情報を転送するのは、車載装置５０であってもよい。
【０１１４】
図９は、変形例に係る情報提供システムＳ−２の概要を示す図である。変形例に係る情報提供システムＳ−２では、車載装置５０Ｂが、情報提供装置１の一部の役割を担う点で、上述の実施形態と異なる。
【０１１５】
すなわち、変形例に係る情報提供システムＳ−２では、車載装置５０Ｂが、情報提供装置１として機能する。具体的には、図９に示すように、車載装置５０Ｂは、情報提供装置１Ｂから通知情報を受信すると（ステップＳ２１）、通知情報を運転者Ｄへプッシュ通知するとともに記憶部(ここでは不図示)に記憶する。
【０１１６】
その後、車載装置５０Ｂは、記憶部に記憶した通知情報のうち、所定の選択条件を満たす通知情報を選択する（ステップＳ２２）。例えば、ここでの選択条件は、上述の実施形態と同様の条件を適用することが可能である。
【０１１７】
そして、車載装置５０Ｂは、選択した通知情報の内容を更新して（ステップＳ２３）、更新後の通知情報を端末装置Ｔへ転送する（ステップＳ２４）。このとき、車載装置５０Ｂは、近距離無線通信を用いて通知情報を転送するなど、情報提供装置１Ｂを介さずに、通知情報を転送することが可能である。
【０１１８】
これにより、情報提供装置１Ｂの処理負荷を軽減するとともに、ネットワークの混雑を抑制することが可能となる。
【０１１９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２０】
１    情報提供装置
３０    受付部
３１    送信部
３２    選択部
３３    更新部
３４    転送部
４０    ユーザ情報データベース
４１    通知情報データベース
４２    閲覧履歴データベース
４３    付加情報データベース
５０    車載装置
Ｓ    情報提供システム
【図１】
2020064556.tif 000003
【図２】
2020064556.tif 000004
【図３】
2020064556.tif 000005
【図４】
2020064556.tif 000006
【図５】
2020064556.tif 000007
【図６】
2020064556.tif 000008
【図７】
2020064556.tif 000009
【図８】
2020064556.tif 000010
【図９】
2020064556.tif 000011